【手続補正書】
【提出日】平成16年3月26日(2004.3.26)
【手続補正１】
【補正対象書類名】明細書
【補正対象項目名】特許請求の範囲
【補正方法】変更
【補正の内容】
【特許請求の範囲】
【請求項１】  オブジェクトの潜在的な受信者を代表するアイコンを含むコミュニケーションインタフェースをウィンドウに関連して表示するステップと、
ノートが意図した受信者に渡るようにするために、スティッキーノートの形のユーザインタフェースを付箋することができるようにするステップと、
前記ノートインタフェースを前記アイコンへドラッグ・アンド・ドロップすることにより、前記ノートを前記受信者に転送することができるようにするステップと
を含んでなる方法。
【請求項２】  複数のユーザのそれぞれのためのアイコンを提供して、前記コミュニケーションインタフェースを介して前記ユーザの間でコミュニケーションすることができるようにすることを含む請求項１に記載の方法。
【請求項３】  前記ユーザのためのホームインタフェースを提供して、前記コミュニケーションインタフェースを使用して該ユーザと該ホームインタフェースとの間でコミュニケーションすることができるようにすることを含む請求項２に記載の方法。
【請求項４】  前記ユーザに関連した前記インタフェースヘのパスワード保護方式によるアクセスを提供することを含む請求項３に記載の方法。
【請求項５】  オブジェクトがマウスによりクリックされたときに該オブジェクトのサムネイル画像を作り出すことを更に含む請求項１に記載の方法。
【請求項６】  カーソルの移動に伴って前記オブジェクトのサムネイル画像が移動するように該サムネイル画像を前記カーソルに随伴させることを含む請求項５に記載の方法。
【請求項７】  オブジェクトがそこから転送された後に該オブジェクトが持続的に記憶される第１のインタフェースと、オブジェクトがそこから転送された後に自動的に該オブジェクトが削除される第２のインタフェースとを提供することを含む請求項１に記載の方法。
【請求項８】  実行された場合に、
オブジェクトの潜在的な受信者を代表するアイコンを含むコミュニケーションインタフェースをウィンドウに関連して表示し、
スティッキーノートの外観を有するユーザインタフェース上にユーザがノートを用意することができるようにし、
前記ノートを含む前記ユーザインタフェースを前記アイコンにドラッグ・アンド・ドロップすることにより該ユーザインタフェースを前記受信者に転送することができるようにすることを、プロセッサベースのシステムに実行可能にする命令を記憶している記憶媒体を含む製品。
【請求項９】  複数のユーザのそれぞれのためのインタフェースを提供して前記コミュニケーションインタフェースを介して前記ユーザ同士の間でコミュニケーションすることができるようにすることを、前記プロセッサベースのシステムに実行可能にする命令を更に記憶している請求項８に記載の製品。
【請求項１０】  前記ユーザのためのホームインタフェースを提供して前記コミュニケーションインタフェースを使用して該ユーザと該ホームインタフェースとの間でコミュニケーションすることができるようにすることを、前記プロセッサベースのシステムに実行可能にする命令を更に記憶している請求項９に記載の製品。
【請求項１１】  前記ユーザに関連した前記インタフェースヘのパスワード保護方式によるアクセスを提供することを、前記プロセッサベースのシステムに実行可能にする命令を更に記憶した請求項９に記載の製品。
【請求項１２】  オブジェクトがマウスでクリックされたときに該オブジェクトのサムネイル画像を作り出すことを、前記プロセッサベースのシステムに実行可能にする命令を更に記憶している請求項８に記載の製品。
【請求項１３】  カーソルの移動に伴って前記オブジェクトのサムネイル画像が移動するように該サムネイル画像を前記カーソルに随伴させることを、前記プロセッサベースのシステムに実行可能にする命令を更に記憶している請求項１２に記載の製品。
【請求項１４】  オブジェクトがそこから転送された後に該オブジェクトが持続的に記憶される第１のインタフェースと、オブジェクトがそこから転送された後に自動的に該オブジェクトが削除される第２のインタフェースとを提供する請求項８に記載の製品。
【請求項１５】  プロセッサと、
該プロセッサと結合しており、実行された場合に、オブジェクトの潜在的な受信者を代表するアイコンを含むコミュニケーションインタフェースをウィンドウに関連して表示し、スティッキーノートの外観を有するユーザインタフェース上にユーザがノートを用意することができるようにし、前記ノートを前記アイコンにドラッグ・アンド・ドロップすることにより該ノートを前記受信者に転送することができるようにすることを、前記プロセッサに実行可能にする命令を記憶している記憶媒体と
を含んでなるシステム。
【請求項１６】  前記プロセッサに結合したディスプレイ及びマウスを含む請求項１５に記載のシステム。
【請求項１７】  前記記憶媒体は、複数のユーザの各ユーザのためのインタフェースを提供して前記コミュニケーションインタフェースを介して前記ユーザ同士の間でコミュニケーションすることができるようにすることを、前記プロセッサに実行可能にする命令を記憶している請求項１６に記載のシステム。
【請求項１８】  前記記憶媒体は、当該同じシステムのユーザ同士のコミュニケーションの進行を図ることを、前記プロセッサに実行可能にする命令を記憶している請求項１７に記載のシステム。
【請求項１９】  前記記憶媒体は、前記ユーザのためのホームインタフェースを提供して前記コミュニケーションインタフェースを使用して該ユーザと該ホームインタフェースとの間でコミュニケーションすることができるようにすることを、前記プロセッサに実行可能にする命令を記憶している請求項１７に記載のシステム。
【請求項２０】  前記記憶媒体は、オブジェクトがマウスでクリックされたときに該オブジェクトのサムネイル画像を作り出すことを、前記プロセッサに実行可能にする命令を記憶している請求項１６に記載のシステム。
【請求項２１】  前記オブジェクトのサムネイル画像が前記カーソルに自動的にリンクされ、該カーソルが移動すると前記オブジェクトのサムネイル画像が移動するようにしたものである請求項２０に記載のシステム。
【請求項２２】  前記記憶媒体は、オブジェクトがそこから転送された後に該オブジェクトが持続的に記憶される第１のインタフェースと、オブジェクトがそこから転送された後に自動的に該オブジェクトが削除される第２のインタフェースとを提供することを、前記プロセッサに実行可能にする命令を記憶している請求項１５に記載のシステム。
【請求項２３】  オブジェクトの潜在的な受信者を代表するアイコンと、
ユーザがその上にノートを提供することができるようなスティッキーノートの外観を有するユーザインタフェースと
を含んでなり、
該ユーザインタフェースは、前記ノートを前記アイコンにドラッグ・アンド・ドロップすることにより前記受信者に転送することが可能なものであるグラフィカルユーザインタフェース。
【請求項２４】  複数の潜在的な受信者を代表する複数のアイコンを含む請求項２３に記載のグラフィカルユーザインタフェース。
【手続補正２】
【補正対象書類名】図面
【補正対象項目名】図７
【補正方法】変更
【補正の内容】
【図７】
2003536177.tif 000001